【手続補正書】
【提出日】平成17年8月22日(2005.8.22)
【手続補正１】
【補正対象書類名】明細書
【補正対象項目名】特許請求の範囲
【補正方法】変更
【補正の内容】
【特許請求の範囲】
【請求項１】  いずれか一方に少なくとも微粒子成分が含まれる二液を記録媒体上で反応させて画像を形成する工程を有する画像形成装置に用いられる洗浄液であって、前記画像形成装置に生じた前記微粒子を含む凝集物を再分散する成分を含有することを特徴とする洗浄液。
【請求項２】  前記微粒子を含む凝集物を再分散する成分が酸であることを特徴とする請求項１に記載の洗浄液。
【請求項３】  前記酸が有機酸であることを特徴とする請求項２に記載の洗浄液。
【請求項４】  前記酸が無機酸であることを特徴とする請求項２に記載の洗浄液。
【請求項５】  前記微粒子を含む凝集物を再分散する成分が、カチオン供給体であることを特徴とする請求項１に記載の洗浄液。
【請求項６】  ｐＨが１〜７であることを特徴とする請求項１〜５のいずれかに記載の洗浄液。
【請求項７】  前記微粒子を含む凝集物を再分散する成分が塩基であることを特徴とする請求項１に記載の洗浄液。
【請求項８】  前記塩基が無機塩基であることを特徴とする請求項７に記載の洗浄液。
【請求項９】  前記塩基が有機塩基であることを特徴とする請求項８に記載の洗浄液。
【請求項１０】  前記微粒子を含む凝集物を再分散する成分が、アニオン供給体であることを特徴とする請求項１に記載の洗浄液。
【請求項１１】  ｐＨが７〜１４であることを特徴とする請求項７〜１０のいずれかに記載の洗浄液。
【請求項１２】  前記洗浄液が有機溶剤を含むことを特徴とする請求項１〜１１のいずれかに記載の洗浄液。
【請求項１３】  前記有機溶剤が極性溶媒であることを特徴とする請求項１２に記載の洗浄液。
【請求項１４】  前記洗浄液が界面活性剤を含むことを特徴とする請求項１〜１３のいずれかに記載の洗浄液。
【請求項１５】  前記界面活性剤がアニオン性界面活性剤あることを特徴とする請求項１４に記載の洗浄液。
【請求項１６】  前記界面活性剤がカチオン性界面活性剤であることを特徴とする請求項１４に記載の洗浄液。
【請求項１７】  前記界面活性剤がノニオン性界面活性剤であることを特徴とする請求項１４に記載の洗浄液。
【請求項１８】  前記界面活性剤が両性界面活性剤であることを特徴とする請求項１４に記載の洗浄液。
【請求項１９】  前記二液が逆の極性を持つことを特徴とする請求項１〜１８のいずれかに記載の洗浄液。
【請求項２０】  前記二液が記録液と処理液であることを特徴とする請求項１〜１９のいずれかに記載の洗浄液。
【請求項２１】  前記処理液がｐＨ１〜７であることを特徴とする請求項２０に記載の洗浄液。
【請求項２２】  前記記録液がｐＨ７〜１４であることを特徴とする請求項２０に記載の洗浄液。
【請求項２３】  前記処理液がカチオン性の成分を含有することを特徴とする請求項２０〜２２のいずれかに記載の洗浄液。
【請求項２４】  前記記録液がアニオン性の成分を含有する記録液であることを特徴とする請求項２０〜２３のいずれかに記載の洗浄液。
【請求項２５】  前記処理液が微粒子を含有することを特徴とする請求項２０〜２４のいずれかに記載の洗浄液。
【請求項２６】  微粒子がコロイダルシリカであることを特徴とする請求項２５に記載の洗浄液。
【請求項２７】  前記処理液がポリマーを含有することを特徴とする請求項２０〜２６のいずれかに記載の洗浄液。
【請求項２８】  前記記録液の色材が顔料であることを特徴とする請求項２０〜２７のいずれかに記載の洗浄液。
【請求項２９】  前記記録液の色材が染料であることを特徴とする請求項２０〜２７のいずれかに記載の洗浄液。
【請求項３０】  前記凝集物が処理液の濃縮物であることを特徴とする請求項２０〜２２に記載の洗浄液。
【請求項３１】  前記凝集物が記録液の濃縮物である事を特徴とする請求項２０〜２２のいずれかに記載の洗浄液。
【請求項３２】  前記凝集物が記録液と処理液の反応物であることを特徴とする請求項２０〜２２のいずれかに記載の洗浄液。
【請求項３３】  前記二液がどちらも記録液であることを特徴とする請求項１〜１８のいずれかに記載の洗浄液。
【請求項３４】  一方の記録液がｐＨ１〜７で、もう一方の記録液がｐＨ７〜１４であることを特徴とする請求項３３に記載の洗浄液。
【請求項３５】  一方の記録液がカチオン性の成分を含有し、もう一方の記録液がアニオン性の成分を含有することを特徴とする請求項３３又は３４に記載の洗浄液。
【請求項３６】  前記二液のうち少なくとも一方が、顔料を色材とする記録液であることを特徴とする請求項３３〜３５のいずれかに記載の洗浄液。
【請求項３７】  前記二液のうち少なくとも一方が、染料を色材とする記録液であることを特徴とする請求項３３〜３５のいずれかに記載の洗浄液。
【請求項３８】  前記凝集物が記録液である事を特徴とする請求項３３〜３７のいずれかに記載の洗浄液。
【請求項３９】  前記凝集物が記録液と記録液の反応物であることを特徴とする請求項３３〜３７のいずれかに記載の洗浄液。
【請求項４０】  請求項１〜３９のいずれかに記載の洗浄液を用いた洗浄方法。
【請求項４１】  二液を記録媒体上で反応させる画像記録方法に用いられる洗浄液において、２液の吐出面を一方が酸性又は中性の洗浄液で、もう一方をアルカリ性又は中性の洗浄液で洗浄することを特徴とする洗浄方法。
【請求項４２】  二液を記録媒体上で反応させる画像記録方法に用いられる洗浄液において、２液の吐出面を一方が少なくともカチオン性成分又はノニオン成分を含有する洗浄液で、もう一方をアニオン性成分又はノニオン成分を含有する洗浄液で洗浄することを特徴とする洗浄方法。
【請求項４３】  前記二液のいずれか一方に少なくとも成分として微粒子が含まれることを特徴とする請求項４１又は４２に記載の洗浄方法。
【請求項４４】  前記洗浄液が請求項１〜３９に記載の洗浄液であることを特徴とする請求項４３に記載の洗浄方法。
【請求項４５】  二液を記録媒体上で反応させる画像記録方法に用いられる洗浄液において、二液のうちカチオン成分を含む液体組成物を吐出するノズル面を酸性の洗浄液で洗浄し、アニオン成分を含む液体組成物を吐出するノズル面をアルカリ性の洗浄液で洗浄することを特徴とするアルカリ性洗浄液と酸性洗浄液の洗浄液セット。
【請求項４６】  二液を記録媒体上で反応させる画像記録方法に用いられる洗浄液において、二液のうちカチオン成分を含む液体組成物を吐出するノズル面を中性の洗浄液で洗浄し、アニオン成分を含む液体組成物を吐出するノズル面をアルカリ性の洗浄液で洗浄することを特徴とする中性洗浄液とアルカリ性洗浄液の洗浄液セット。
【請求項４７】  二液を記録媒体上で反応させる画像記録方法に用いられる洗浄液において、二液のうちカチオン成分を含む液体組成物を吐出するノズル面を酸性の洗浄液で洗浄し、アニオン成分を含む液体組成物を吐出するノズル面を中性の洗浄液で洗浄することを特徴とする酸性洗浄液と中性洗浄液の洗浄液セット。
【請求項４８】  二液を記録媒体上で反応させる画像記録方法に用いられる洗浄液において、二液のうちカチオン成分を含む液体組成物を吐出するノズル面をカチオン成分含有洗浄液で洗浄し、アニオン成分を含む液体組成物を吐出するノズル面をアニオン成分含有洗浄液で洗浄することを特徴とするカチオン成分含有洗浄液とアニオン成分含有洗浄液の洗浄液セット。
【請求項４９】  二液を記録媒体上で反応させる画像記録方法に用いられる洗浄液において、二液のうちカチオン成分を含む液体組成物を吐出するノズル面をノニオン成分含有洗浄液で洗浄し、アニオン成分を含む液体組成物を吐出するノズル面をアニオン成分含有洗浄液で洗浄することを特徴とするノニオン成分含有洗浄液とアニオン成分含有洗浄液の洗浄液セット。
【請求項５０】  二液を記録媒体上で反応させる画像記録方法に用いられる洗浄液において、二液のうちカチオン成分を含む液体組成物を吐出するノズル面をカチオン成分含有洗浄液で洗浄し、アニオン成分を含む液体組成物を吐出するノズル面をノニオン成分含有洗浄液で洗浄することを特徴とするカチオン成分含有洗浄液とノニオン成分含有洗浄液の洗浄液セット。
【請求項５１】  前記二液の成分のいずれか一方に少なくとも微粒子が含まれる事を特徴とする請求項４５〜５０に記載の洗浄液セット。
【請求項５２】  請求項１〜３９に記載の洗浄液を充填した洗浄液カートリッジ。
【請求項５３】  請求項４０〜４４に記載の洗浄方法を行なう機能をもつ洗浄ユニット。
【請求項５４】  請求項４５〜５１に記載の洗浄液セットを用いる洗浄ユニット。
【請求項５５】  請求項５３又は５４に記載の洗浄ユニットを組みこんだ画像形成装置。
【手続補正２】
【補正対象書類名】明細書
【補正対象項目名】００２２
【補正方法】変更
【補正の内容】
【００２２】
本発明によれば、以下に示す洗浄液、洗浄方法、洗浄液セット、洗浄液カートリッジが提供される。
（１）いずれか一方に少なくとも微粒子成分が含まれる二液を記録媒体上で反応させて画像を形成する工程を有する画像形成装置に用いられる洗浄液であって、前記画像形成装置に生じた前記微粒子を含む凝集物を再分散する成分を含有することを特徴とする洗浄液。
（２）前記微粒子を含む凝集物を再分散する成分が酸であることを特徴とする前記（１）に記載の洗浄液。
（３）前記酸が有機酸であることを特徴とする前記（２）に記載の洗浄液。
（４）前記酸が無機酸であることを特徴とする前記（２）に記載の洗浄液。
（５）前記微粒子を含む凝集物を再分散する成分が、カチオン供給体であることを特徴とする前記（１）に記載の洗浄液。
（６）ｐＨが１〜７であることを特徴とする前記（１）〜（５）のいずれかに記載の洗浄液。
（７）前記微粒子を含む凝集物を再分散する成分が塩基であることを特徴とする前記（１）に記載の洗浄液。
（８）前記塩基が無機塩基であることを特徴とする前記（７）に記載の洗浄液。
（９）前記塩基が有機塩基であることを特徴とする前記（８）に記載の洗浄液。
（１０）前記微粒子を含む凝集物を再分散する成分が、アニオン供給体であることを特徴とする前記（１）に記載の洗浄液。
（１１）ｐＨが７〜１４であることを特徴とする前記（７）〜（１０）のいずれかに記載の洗浄液。
（１２）前記洗浄液が有機溶剤を含むことを特徴とする前記（１）〜（１１）のいずれかに記載の洗浄液。
（１３）前記有機溶剤が極性溶媒であることを特徴とする前記（１２）に記載の洗浄液。
（１４）前記洗浄液が界面活性剤を含むことを特徴とする前記（１）〜（１３）のいずれかに記載の洗浄液。
（１５）前記界面活性剤がアニオン性界面活性剤あることを特徴とする前記（１４）に記載の洗浄液。
（１６）前記界面活性剤がカチオン性界面活性剤であることを特徴とする前記（１４）に記載の洗浄液。
（１７）前記界面活性剤がノニオン性界面活性剤であることを特徴とする前記（１４）に記載の洗浄液。
（１８）前記界面活性剤が両性界面活性剤であることを特徴とする前記（１４）に記載の洗浄液。
（１９）前記二液が逆の極性を持つことを特徴とする前記（１）〜（１８）のいずれかに記載の洗浄液。
（２０）前記二液が記録液と処理液であることを特徴とする前記（１）〜（１９のいずれかに記載の洗浄液。
（２１）前記処理液がｐＨ１〜７であることを特徴とする前記（２０）に記載の洗浄液。
（２２）前記記録液がｐＨ７〜１４であることを特徴とする前記（２０）に記載の洗浄液。
（２３）前記処理液がカチオン性の成分を含有することを特徴とする前記（２０）〜（２２）のいずれかに記載の洗浄液。
（２４）前記記録液がアニオン性の成分を含有する記録液であることを特徴とする前記（２０）〜（２３）のいずれかに記載の洗浄液。
（２５）前記処理液が微粒子を含有することを特徴とする前記（２０）〜（２４）のいずれかに記載の洗浄液。
（２６）前記微粒子がコロイダルシリカであることを特徴とする前記（２５）に記載の洗浄液。
（２７）前記処理液がポリマーを含有することを特徴とする前記（２０）〜（２６）のいずれかに記載の洗浄液。
（２８）前記記録液の色材が顔料であることを特徴とする前記（２０）〜（２７）のいずれかに記載の洗浄液。
（２９）前記記録液の色材が染料であることを特徴とする前記（２０）〜（２７）のいずれかに記載の洗浄液。
（３０）前記凝集物が処理液の濃縮物であることを特徴とする前記（２０）〜（２２に記載の洗浄液。
（３１）前記凝集物が記録液の濃縮物である事を特徴とする前記（２０）〜（２２）のいずれかに記載の洗浄液。
（３２）前記凝集物が記録液と処理液の反応物であることを特徴とする前記（２０）〜（２２）のいずれかに記載の洗浄液。
（３３）前記二液がどちらも記録液であることを特徴とする前記（１）〜（１８）のいずれかに記載の洗浄液。
（３４）一方の記録液がｐＨ１〜７で、もう一方の記録液がｐＨ７〜１４である事を特徴とする前記（３３）に記載の洗浄液。
（３５）一方の記録液がカチオン性の成分を含有し、もう一方の記録液がアニオン性の成分を含有することを特徴とする前記（３３又は３４に記載の洗浄液。
（３６）前記二液のうち少なくとも一方が、顔料を色材とする記録液であることを特徴とする前記（３３）〜（３５）のいずれかに記載の洗浄液。
（３７）前記二液のうち少なくとも一方が、染料を色材とする記録液であることを特徴とする前記（３３）〜（３５）のいずれかに記載の洗浄液。
（３８）前記凝集物が記録液である事を特徴とする前記（３３）〜（３７）のいずれかに記載の洗浄液。
（３９）前記凝集物が記録液と記録液の反応物であることを特徴とする前記（３３）〜（３７）のいずれかに記載の洗浄液。
（４０）前記（１）〜（３９）のいずれかに記載の洗浄液を用いた洗浄方法。
（４１）二液を記録媒体上で反応させる画像記録方法に用いられる洗浄液において、２液の吐出面を一方が酸性又は中性の洗浄液で、もう一方をアルカリ性又は中性の洗浄液で洗浄することを特徴とする洗浄方法。
（４２）二液を記録媒体上で反応させる画像記録方法に用いられる洗浄液において、２液の吐出面を一方が少なくともカチオン性成分又はノニオン成分を含有する洗浄液で、もう一方をアニオン性成分又はノニオン成分を含有する洗浄液で洗浄することを特徴とする洗浄方法。
（４３）二液のいずれか一方に少なくとも成分として微粒子が含まれることを特徴とする前記（４１）又は（４２）に記載の洗浄方法。
（４４）前記洗浄液が前記（１）〜（３９）に記載の洗浄液であることを特徴とする請求項４３に記載の洗浄方法。
（４５）二液を記録媒体上で反応させる画像記録方法に用いられる洗浄液において、二液のうちカチオン成分を含む液体組成物を吐出するノズル面を酸性の洗浄液で洗浄し、アニオン成分を含む液体組成物を吐出するノズル面をアルカリ性の洗浄液で洗浄することを特徴とするアルカリ性洗浄液と酸性洗浄液の洗浄液セット。
（４６）二液を記録媒体上で反応させる画像記録方法に用いられる洗浄液において、二液のうちカチオン成分を含む液体組成物を吐出するノズル面を中性の洗浄液で洗浄し、アニオン成分を含む液体組成物を吐出するノズル面をアルカリ性の洗浄液で洗浄することを特徴とする中性洗浄液とアルカリ性洗浄液の洗浄液セット。
（４７）二液を記録媒体上で反応させる画像記録方法に用いられる洗浄液において、二液のうちカチオン成分を含む液体組成物を吐出するノズル面を酸性の洗浄液で洗浄し、アニオン成分を含む液体組成物を吐出するノズル面を中性の洗浄液で洗浄することを特徴とする酸性洗浄液と中性洗浄液の洗浄液セット。
（４８）二液を記録媒体上で反応させる画像記録方法に用いられる洗浄液において、二液のうちカチオン成分を含む液体組成物を吐出するノズル面をカチオン成分含有洗浄液で洗浄し、アニオン成分を含む液体組成物を吐出するノズル面をアニオン成分含有洗浄液で洗浄することを特徴とするカチオン成分含有洗浄液とアニオン成分含有洗浄液の洗浄液セット。
（４９）二液を記録媒体上で反応させる画像記録方法に用いられる洗浄液において、二液のうちカチオン成分を含む液体組成物を吐出するノズル面をノニオン成分含有洗浄液で洗浄し、アニオン成分を含む液体組成物を吐出するノズル面をアニオン成分含有洗浄液で洗浄することを特徴とするノニオン成分含有洗浄液とアニオン成分含有洗浄液の洗浄液セット。
（５０）二液を記録媒体上で反応させる画像記録方法に用いられる洗浄液において、二液のうちカチオン成分を含む液体組成物を吐出するノズル面をカチオン成分含有洗浄液で洗浄し、アニオン成分を含む液体組成物を吐出するノズル面をノニオン成分含有洗浄液で洗浄することを特徴とするカチオン成分含有洗浄液とノニオン成分含有洗浄液の洗浄液セット。
（５１）前記二液の成分のいずれか一方に少なくとも微粒子が含まれることを特徴とする前記（４５）〜（５０に記載の洗浄液セット。
（５２）前記（１）〜（３９）に記載の洗浄液を充填した洗浄液カートリッジ。
（５３）前記（４０）〜（４４）に記載の洗浄方法を行なう機能をもつ洗浄ユニット。
（５４）前記（４５）〜（５１）に記載の洗浄液セットを用いる洗浄ユニット。
（５５）前記（５３）又は（５４）に記載の洗浄ユニットを組みこんだ画像形成装置。
【手続補正３】
【補正対象書類名】明細書
【補正対象項目名】００７６
【補正方法】変更
【補正の内容】
【００７６】
前記洗浄液セットの一は、二液を記録媒体上で反応させる画像記録方法に用いられる洗浄液であり、二液のうちカチオン成分を含む液体組成物を吐出するノズル面を酸性の洗浄液で洗浄し、アニオン成分を含む液体組成物を吐出するノズル面をアルカリ性の洗浄液で洗浄することに使用されるものである。洗浄液セットの他の一は、二液のうちカチオン成分を含む液体組成物を吐出するノズル面を中性の洗浄液で洗浄し、アニオン成分を含む液体組成物を吐出するノズル面をアルカリ性の洗浄液で洗浄することに使用されるものである。洗浄液セットの他の一は、二液のうちカチオン成分を含む液体組成物を吐出するノズル面を酸性の洗浄液で洗浄し、アニオン成分を含む液体組成物を吐出するノズル面を中性の洗浄液で洗浄することに使用されるものである。洗浄液セットの他の一は、二液のうちカチオン成分を含む液体組成物を吐出するノズル面をカチオン成分含有洗浄液で洗浄し、アニオン成分を含む液体組成物を吐出するノズル面をアニオン成分含有洗浄液で洗浄することに使用されるものである。洗浄液セットの他の一は、二液のうちカチオン成分を含む液体組成物を吐出するノズル面をノニオン成分含有洗浄液で洗浄し、アニオン成分を含む液体組成物を吐出するノズル面をアニオン成分含有洗浄液で洗浄することに使用されるものである。洗浄液セットの他の一は、二液のうちカチオン成分を含む液体組成物を吐出するノズル面をカチオン成分含有洗浄液で洗浄し、アニオン成分を含む液体組成物を吐出するノズル面をノニオン成分含有洗浄液で洗浄することに使用されるものである。洗浄液セットの他の一は、二液の成分のいずれか一方に少なくとも微粒子が含まれる場合に使用されるものである。
【手続補正４】
【補正対象書類名】明細書
【補正対象項目名】００７９
【補正方法】変更
【補正の内容】
【００７９】
本発明の洗浄液カートリッジの外観図の一例を図４、にその断面図を図５に示本発明の洗浄ユニットは、前記洗浄方法を行なう機能を有し、前記洗浄液セットを用いるものである。かかる洗浄ユニットは、従来存在しなかったものである。前記洗浄ユニットを用いると、記録媒体上で反応させて画像を形成する画像記録装置において、ノズルヘッドに凝集物が生じても洗浄により目詰まりを回復できる。
【手続補正５】
【補正対象書類名】明細書
【補正対象項目名】００８０
【補正方法】変更
【補正の内容】
【００８０】
本発明の洗浄方法の対象となる洗浄ユニットについて、その一例を図３を用いて説明する。ただし本発明は図３に示す装置図によって限定されない。
凝集物が紙詰まり等などを原因として処理液用吐出部４に生じた場合、処理液用洗浄液カートリッジ２２に充填された処理液用洗浄液で処理液要吐出部４を外部から洗浄する。また処理液カートリッジ２を処理液用洗浄液カートリッジ２４と交換することにより、流路に残った液を置換して処理液吐出部を内部から洗浄することも有効である。処理液用洗浄カートリッジ２２と２４は同じ物でも異なるものでも良い。前記処理液用洗浄液は処理液がカチオン性成分を含有している場合、アニオン性の成分を含まない酸性、又は中性の洗浄液が望ましい。同様に凝集物が記録液用吐出部５に生じた場合、記録液用洗浄液カートリッジ２３に充填された記録液用洗浄液で洗浄する。また、記録液カートリッジ３を記録液用洗浄液カートリッジ２５と交換して流路に残った液を置換して流路内部から洗浄することも有効である。記録液用洗浄カートリッジ２３と２５は同じ物でも異なるものでも良い。前記記録液用洗浄液は記録液がアニオン性の成分を含有する場合、カチオン性の成分を含まないアルカリ性又は中性の洗浄液が望ましい。このように吐出する液体組成物にあわせて同極又はノニオン性の成分を含有する洗浄液で洗浄する。
【手続補正６】
【補正対象書類名】明細書
【補正対象項目名】００８３
【補正方法】変更
【補正の内容】
【００８３】
本発明の洗浄液が用いられる画像形成装置においては、いずれか一方に少なくとも微粒子成分が含まれる二液を記録媒体上で反応させて画像を形成する工程を有する。該工程を構成する二液は、逆の極性を持つものであってもよい。前記二液が逆極性を持つ場合、二液の反応物である凝集物は粒径が大きくなり、さらに目詰まりの回復が難しくなるが、本発明の洗浄液は二液が逆極性を持つ場合においても凝集物を再分散させる機能により、目詰まりを回復させることができる。
【手続補正７】
【補正対象書類名】明細書
【補正対象項目名】００８４
【補正方法】変更
【補正の内容】
【００８４】
本発明においては、前記二液は通常記録液と処理液からなる。かかる場合であっても、本発明の洗浄液は凝集物を再分散する機能を有するため目詰まりの回復ができる。
【手続補正８】
【補正対象書類名】明細書
【補正対象項目名】００８５
【補正方法】変更
【補正の内容】
【００８５】
本発明においては、前記処理液のｐＨが１〜７であり、記録液のｐＨが７〜１本発明の洗浄剤は凝集物を再分散させる機能を有するので、前記処理液がカチオン性の成分を含有する場合であっても、前期記録液がアニオン性の成分を含有する場合であっても、目詰まりの回復ができる。
【手続補正９】
【補正対象書類名】明細書
【補正対象項目名】００９４
【補正方法】変更
【補正の内容】
【００９４】
次に、前記記録液について詳しく説明する。
前記記録液に用いる色材としては顔料が用いられ、二液を混合する画像形成方法において一方が微粒子を含有する液体組成物ならば、もう一方の液体組成物は極性が反対の色材が用いられる。微粒子がカチオン性である場合にはアニオン性の染料、あるいは顔料が、電気的に中和され凝集するので画質向上の点で好ましく用いられる。
【手続補正１０】
【補正対象書類名】明細書
【補正対象項目名】０１２０
【補正方法】変更
【補正の内容】
【０１２０】
前記微粒子はカチオン性無機有機複合微粒子も用いられ、粒子状のカチオン性無機有機複合微粒子であればいずれも用いられる。
【手続補正１１】
【補正対象書類名】明細書
【補正対象項目名】０１５０
【補正方法】変更
【補正の内容】
【０１５０】
前記凝集物は処理液を吐出するインクジェット記録ヘッドに記録液が付着して生じる場合と、記録液を吐出するインクジェット記録ヘッドに処理液が付着して生じる場合の二通りを想定した。具体的には、カチオン成分過多の場合を想定して反応性を有する成分の重量比（カチオン性成分：アニオン性成分）が３：２になるように混合して凝集物を作成し、アニオン成分過多の場合を想定して重量比（カチオン性成分：アニオン性成分）が２：３になるように混合して凝集物を作成した。これらの凝集物に対してそれぞれ以下に挙げる洗浄液を用いて凝集物を希釈し、得られた凝集物の再分散液の粘度、粒径等を測定し、再分散力を比較評価した。